(57)【要約】      （修正有）【課題】締め付け作業性がよく緩み止め効果が大きく、締結解除も簡単で繰り返し使用でき管理も容易な緩み止めナットを提供する。【解決手段】締結用ボルト７に螺合される貫通雌ねじ部と、小径部分に貫通雌ねじ部より大径の結合用雄ねじ部１２を有する凸形ナット１と、片側に締結用ボルトに螺合される貫通雌ねじ部を、片側に貫通雌ねじ部より大径の結合用雌ねじ部２２を有する凹形ナット２を、前記結合用雄ねじ部及び結合用雌ねじ部で一対に結合したダブルナット３に於いて、締結用ボルトに螺合される貫通雌ねじ部と結合用ねじ部の、ねじピッチは同一でなく相違し、凸形ナットと凹形ナットの六角把持部は略同一寸法に形成されていて、締結用ボルトが凸形ナットと凹形ナットの両方に螺合可能。【選択図】図１
2014119000.tif 000002
【特許請求の範囲】
【請求項１】
締結用ボルトに螺合される貫通雌ねじ部と、小径部分に貫通雌ねじ部より大径の結合用雄ねじ部を有する凸形ナットと、片側に締結用ボルトに螺合される貫通雌ねじ部を、片側に貫通雌ねじ部より大径の結合用雌ねじ部を有する凹形ナットを、前記結合用雄ねじ部及び結合用雌ねじ部で一対に結合したダブルナットに於いて、締結用ボルトに螺合される貫通雌ねじ部と結合用ねじ部の、ねじピッチは同一でなく相違し、凸形ナットと凹形ナットの六角把持部は略同一寸法に形成されていて、締結用ボルトが凸形ナットと凹形ナットの両方に螺合可能で、かつ、締結用ソケットレンチのソケット穴に、凸形ナットと凹形ナットの両方が挿入可能な状態で、凸形ナットと凹形ナットの相対する座面が当接まで適度な隙間を有した位置で、凸形ナットと凹形ナットを接着材にて糊付けして凸形ナットと凹形ナットの相対位置を保持可能にしたことを特徴とする緩み止めダブルナット。
【請求項２】
締結用ボルトに螺合される貫通雌ねじ部と、小径部分に貫通雌ねじ部より大径の結合用雄ねじ部を有する凸形ナットと、片側に締結用ボルトに螺合される貫通雌ねじ部を、片側に貫通雌ねじ部より大径の結合用雌ねじ部を有する凹形ナットを、前記結合用雄ねじ部及び結合用雌ねじ部で一対に結合したダブルナットに於いて、締結用ボルトに螺合される貫通雌ねじ部と結合用ねじ部の、ねじピッチは同一でなく相違し、凸形ナットと凹形ナットの六角把持部は略同一寸法に形成されていて、締結用ボルトが凸形ナットと凹形ナットの両方に螺合可能で、かつ、締結用ソケットレンチのソケット穴に、凸形ナットと凹形ナットの両方が挿入可能な状態で、凸形ナットと凹形ナットの相対する座面が当接まで適度な隙間を有した位置で、凸形ナットと凹形ナットの、外周面の一箇所に合致印を表記したことを特徴とする緩み止めダブルナット。
【発明の詳細な説明】
【技術分野】
【０００１】
本発明は締結用ボルト等に用いる緩み止めダブルナットに関する。
【背景技術】
【０００２】
ナットの緩み止め方法として、締結用ボルトに螺合可能な一対のナットを互いに螺合結合し、その結合用ねじと締結用ボルトに対する螺合用ねじの螺旋方向を逆にした緩み止めダブルナットが知られている。緩み止め性能は優れているが着脱性が悪く作業性に問題を有している（特許文献１参照）。
【先行技術文献】
【特許文献】
【０００３】
【特許文献１】実開昭６０−１５０３１５公報
【特許文献２】実開平５−７９０２８公報
【発明の概要】
【発明が解決しようとする課題】
【０００４】
締結用ボルトに簡単に螺合可能で締結作業も迅速で、緩み止め性能も良く、ダブルナットでも一対のナットが分離しがたく管理の容易な緩み止めダブルナットを提供する。
【課題を解決するための手段】
【０００５】
上記課題を解決するために請求項１記載の本発明は、締結用ボルトに螺合される貫通雌ねじ部と、小径部分に貫通雌ねじ部より大径の結合用雄ねじ部を有する凸形ナットと、片側に締結用ボルトに螺合される貫通雌ねじ部を、片側に貫通雌ねじ部より大径の結合用雌ねじ部を有する凹形ナットを、前記結合用雄ねじ部及び結合用雌ねじ部で一対に結合したダブルナットに於いて、締結用ボルトに螺合される貫通雌ねじ部と結合用ねじ部の、ねじピッチは同一でなく相違し、凸形ナットと凹形ナットの六角把持部は略同一寸法に形成されていて、締結用ボルトが凸形ナットと凹形ナットの両方に螺合可能で、かつ、締結用ソケットレンチのソケット穴に、凸形ナットと凹形ナットの両方が挿入可能な状態で、凸形ナットと凹形ナットの相対する座面が当接まで適度な隙間を有した位置で、凸形ナットと凹形ナットを接着材にて糊付けして凸形ナットと凹形ナットの相対位置を保持可能にしたことを特徴とする。
【０００６】
また、請求項２記載の本発明は締結用ボルトに螺合される貫通雌ねじ部と、小径部分に貫通雌ねじ部より大径の結合用雄ねじ部を有する凸形ナットと、片側に締結用ボルトに螺合される貫通雌ねじ部を、片側に貫通雌ねじ部より大径の結合用雌ねじ部を有する凹形ナットを、前記結合用雄ねじ部及び結合用雌ねじ部で一対に結合したダブルナットに於いて、締結用ボルトに螺合される貫通雌ねじ部と結合用ねじ部の、ねじピッチは同一でなく相違し、凸形ナットと凹形ナットの六角把持部は略同一寸法に形成されていて、締結用ボルトが凸形ナットと凹形ナットの両方に螺合可能で、かつ、締結用ソケットレンチのソケット穴に、凸形ナットと凹形ナットの両方が挿入可能な状態で、凸形ナットと凹形ナットの相対する座面が当接まで適度な隙間を有した位置で、凸形ナットと凹形ナットの、外周面の一箇所に合致印を表記したことを特徴とする。
【発明の効果】
【０００７】
本発明の緩み止めダブルナットによれば、締結用ボルトに螺合される貫通雌ねじ部と、大径の結合用ねじ部の螺旋方向は同一方向でも反対方向でも緩み止め効果は得られ、凸形ナットと凹形ナットの大径の結合用ねじ部のねじピッチを適宜変更することにより、適正な緩み止作用を選択発揮できる。
【０００８】
また、凸形ナットと凹形ナットの六角把持部は略同一寸法で結合用ねじ部で一対に結合した後、締結用ボルトが凸形ナットと凹形ナットの両方に螺合可能で、かつ、締結用ソケットレンチのソケット穴に、凸形ナットと凹形ナットの両方が挿入可能な状態に、凸形ナットと凹形ナットを接着材で糊付けして相対位置を保持し、または、外周面の一箇所に合致印を表記し凸形ナットと凹形ナットの相対位置を指定した、取り扱いが簡単で単体のナットと同様に使用でき、作業性がよく管理も容易な緩み止めナットが得られる。
【０００９】
また、本発明の緩み止めダブルナットを締め付け解除する場合、凸形ナットと凹形ナットの六角把持部を同時に把持して緩み方向に回転するため、相対位置関係は保持されている。また凸形ナットと凹形ナットの外周面の合致印を合わせることで、再使用する場合も簡単に締結用ボルトに螺合でき締め付け作業が迅速に行える。
【図面の簡単な説明】
【００１０】
【図１】本発明に係る緩み止めダブルナットを使用した締め付け後の一部断面図である。
【図２】本発明の緩み止めダブルナットの組立図を示す。（a）は側面図、（ｂ−１）は平面図、（ｂ−２）は平面図
【発明を実施するための形態】
【００１１】
以下本発明の実施形態について図面に基づいて説明する。
【００１２】
図２（a）は、凸形ナット１の貫通雌ねじ部１１と凹形ナット２の貫通雌ねじ部２１の両方に締結用ボルト７が螺合可能で、かつ、締結用ソケットレンチ９のソケット穴に凸形ナット１と凹形ナット２の両方が挿入可能な様に、凸形ナット１の結合用雄ねじ部１２と凹形ナット２の結合用雌ねじ部２２で一対に凸形ナット１の座面１３及凹形ナット２の座面２３の座面間隙間Ｓを有した位置に結合した後、凸形ナット１と凹形ナット２の相対位置を保持するため接着材４で糊付けした場合、または、外周面の各一箇所に表記した合致印５及び６を相対させた場合の本発明の緩み止めダブルナット３の組立図である。また、凸形ナット１と凹形ナット２の平面相対位置を図２（ｂ−１）または、図２（ｂ−２）に示す。なお、凸形ナット１の結合用雄ねじ部１２と凹形ナット２の結合用雌ねじ部２２は多条ねじとしてもよい。
【００１３】
図１は被締め付け部材８に締結用ボルト７を挿通後、緩み止めダブルナット３を螺合して所定のトルクで締め付けを完了した状態である。
【００１４】
貫通雌ねじ部１１及び２１と結合用雄ねじ部１２と結合用雌ねじ部２２を右ねじとし、結合用ねじ部のねじピッチＰ（Ｎ）は締結用ねじ部のねじピッチＰ（Ｂ）より小さく設定して、緩み止めダブルナット３を凸ナット１側より螺合し、ソケット９で凸形ナット１と凹形ナット２を同時に把持して、右回転で被締め付け部材８と緩み止めダブルナット３の凸形ナット１を当接させ、所定のトルクまで締め付ける。この段階では、凹形ナット２はまだ回転可能である。次に、ソケット９を凹形ナット２の単独把持位置まで移動して、凹形ナット２を単独で所定のトルクで右回転して増し締めし、緩み止め作用を付与して締結作業を完了する。
【００１５】
例えば、図１で結合用ねじ部のねじピッチＰ（Ｎ）を１ｍｍ、締結用ねじ部のねじピッチＰ（Ｂ）を１．５ｍｍに設定して、凹形ナット２を右方向に１回転すると凹形ナット２は１．５ｍｍ被締め付け部材８側に移動し、凸形ナット１と凹形ナット２は１ｍｍ締り側方向に移動する。結果として緩み止めダブルナット３は０．５ｍｍ被締め付け部材８側に回転移動して増し締め効果と緩み止め作用を得る。
【００１６】
上記より締結用ボルト７は凸形ナット１、凹形ナット２の間で圧縮方向荷重を受ける。締結用ボルト７の雄ねじ部は凸形ナット１側と凹形ナット２側のフランク面に圧縮方向荷重を受け、摩擦抵抗を増大して凸形ナット１側と凹形ナット２との回転を阻止され緩み止め作用が生じる。また緩み止めダブルナット３の凸形ナット１と凹形ナット２は締結用ボルト７及び締結用ねじ部で一体的に螺合連結されて、２個の異なるねじピッチを有しているため互いの回転時ねじの長手方向に移動する距離が一致しない、したがって凸形ナット１と凹形ナット２の回転が阻害され、緩み止めダブルナット３に緩み止め作用が生じ脱落防止機能も得る。
【産業上の利用可能性】
【００１７】
本発明は、作業性がよく管理も容易で取り扱いは簡単で単体のナットと殆んど同様に使用でき緩み止めの必要なボルト、ナットを使用する多くの産業分野で利用可能である。
【符号の説明】
【００１８】
１  凸形ナット
１１  貫通雌ねじ部
１２  結合用雄ねじ部
１３  座面
２  凹形ナット
２１  貫通雌ねじ部
２２  結合用雌ねじ部
２３  座面
３  緩み止めダブルナット
４  接着材
５  合致印
６  合致印
７  締付用ボルト
８  被締付部材
９  締付用ソケット
Ｐ（Ｂ）  締付用ねじのねじピッチ
Ｐ（Ｎ）  結合用ねじのねじピッチ
Ｓ  凸形ナットと凹形ナットの座面間隙間
【図１】
2014119000.tif 000003
【図２】
2014119000.tif 000004